(57)【要約】【課題】  光学式ピックアップによりディスクに信号を記録することが出来る光ディスク記録再生装置のチルト制御方法を提供する。【解決手段】  ディスクの内周側に設けられている試し書き領域及び信号記録領域にチルト調整用コイルに供給するオフセット検出用の駆動信号のレベルを変化させながらオフセット調整用信号を記録した後記録されたオフセット調整用信号の再生動作を行い、再生されるＲＦ信号からβ値を検出し、その検出されるβ値が最大となる信号を記録したときにチルト調整用コイルへ供給された駆動信号のレベルを内周側オフセット値及び外周側オフセット値として設定し、チルト制御を行うチルト調整信号に前記内周側オフセット値及び外周側オフセット値から演算される記録位置に応じたオフセット値を加算することによってチルト制御を行う。【選択図】    図１
2005158206.tif 000002
【特許請求の範囲】
【請求項１】
対物レンズの傾きを調整するチルト調整用コイルを備えた光学式ピックアップを使用するとともに書き換え可能なディスクに信号を記録することが出来る光ディスク記録再生装置のチルト制御方法であり、ディスクの内周側に設けられている試し書き領域にチルト調整用コイルに供給するオフセット検出用の駆動信号のレベルを変化させながらオフセット調整用信号を記録した後記録されたオフセット調整用信号の再生動作を行い、再生されるＲＦ信号からβ値を検出し、その検出されるβ値が最大となる信号を記録したときにチルト調整用コイルへ供給された駆動信号のレベルを内周側オフセット値として設定し、更にディスクに設けられている信号記録領域にチルト調整用コイルに供給するオフセット検出用の駆動信号のレベルを変化させながらオフセット調整用信号を記録した後記録されたオフセット調整用信号の再生動作を行い、再生されるＲＦ信号からβ値を検出し、その検出されるβ値が最大となる信号を記録したときにチルト調整用コイルへ供給された駆動信号のレベルを外周側オフセット値として設定し、チルト制御を行うチルト調整信号に前記内周側オフセット値及び外周側オフセット値から演算される記録位置に応じたオフセット値を加算することによってチルト制御を行うようにしたことを特徴とする光ディスク記録再生装置のチルト制御方法。
【請求項２】
外周側オフセット値の設定動作を信号記録領域の中の最外周位置にて行うようにしたことを特徴とする請求項１に記載のチルト制御方法。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置のチルト制御方法に関する。
【背景技術】
【０００２】
光学式ピックアップを用いてディスクに記録されている信号の読み出し動作を行うディスクプレーヤーが普及しているが、再生機能に加えて光学式ピックアップより照射されるレーザー光によってディスクに信号を記録することが出来るように構成された光ディスク記録再生装置が商品化されている。
【０００３】
光ディスク記録再生装置では、光学式ピックアップより照射されるレーザー光をディスクの信号トラックに対して正確に照射する必要があるので、フォーカス制御動作及びトラッキング制御動作が行われる。斯かるフォーカス制御動作は、対物レンズをディスク面方向へ変位させるフォーカシングコイルに駆動電流を供給することにより行われ、トラッキング制御動作は、対物レンズをディスクの径方向へ変位させるトラッキングコイルに駆動電流を供給することにより行われる。
【０００４】
最近では、ディスクに多くの信号を記録するための高密度化が行われており、高密度記録動作を行うためには、レーザー光を最適な状態にてディスク面に照射する必要がある。斯かる動作を行うためには、前述したフォーカス制御動作及びトラッキング制御動作を正確に行うだけでなく、ディスクと対物レンズとの相対的な角度ズレを補正する動作、即ちチルト制御動作を行うことが出来るように構成された光学式ピックアップが開発されている(例えば、特許文献１参照。)。
【０００５】
そして、ディスクに対する光学式ピックアップの傾きを検出し、その傾きを調整する技術が開発されている(例えば、特許文献２参照。)。
【０００６】
また、ディスクに信号を記録する場合には、レーザー光の出力をディスクの記録特性に適したレベルに設定する必要があるため、ディスクの内周側に設けられている試し書き領域にテスト信号をレーザー出力を変化させながら記録し、その記録された信号を再生することによってレーザー出力を調整する技術がある(例えば、特許文献３参照。)。
【０００７】
そして、光ディスク記録再生装置の中には、ディスクへの記録動作を１回だけでなく繰り返し記録消去動作を行うことが出来る書き換え可能なディスクを使用するものがある。
【特許文献１】特開２００２−１９７６９８号公報
【特許文献２】特開２００１−５２３６２号公報
【特許文献３】特開平８−４５０９９号公報
【発明の開示】
【発明が解決しようとする課題】
【０００８】
特許文献２に記載の技術は、光学式ピックアップのディスクに対する傾きを検出するチルトセンサーを設け、そのチルトセンサーより得られる信号に基いてチルトの調整動作を行うように構成されている。斯かる技術によれば、正確なチルト調整制御動作を行うこと
が出来るもののチルトセンサーは高価であり、光ディスク記録再生装置が高価になるという問題がある。
【０００９】
また、光学式ピックアップに組み込まれているチルト調整用コイルは、対物レンズを支持する支持部材に固定されているが、その取り付け位置にはズレがあるだけでなく、光ディスク記録再生装置の姿勢変化や経時変化があるため、チルト調整用コイルに駆動電圧が供給されていない状態におけるチルトの角度は一定にはならない。従って、斯かる状態のままでチルト調整動作が行われた場合正確なチルト調整が行われないという問題がある。
【００１０】
本発明は、斯かる問題を解決することが出来る光ディスク記録再生装置のチルト制御方法を提供しようとするものである。
【課題を解決するための手段】
【００１１】
本発明は、ディスクの内周側に設けられている試し書き領域にチルト調整用コイルに供給するオフセット検出用の駆動信号のレベルを変化させながらオフセット調整用信号を記録した後記録されたオフセット調整用信号の再生動作を行い、再生されるＲＦ信号からβ値を検出し、その検出されるβ値が最大となる信号を記録したときにチルト調整用コイルへ供給された駆動信号のレベルを内周側オフセット値として設定し、更にディスクに設けられている信号記録領域にチルト調整用コイルに供給するオフセット検出用の駆動信号のレベルを変化させながらオフセット調整用信号を記録した後記録されたオフセット調整用信号の再生動作を行い、再生されるＲＦ信号からβ値を検出し、その検出されるβ値が最大となる信号を記録したときにチルト調整用コイルへ供給された駆動信号のレベルを外周側オフセット値として設定し、チルト制御を行うチルト調整信号に前記内周側オフセット値及び外周側オフセット値から演算される記録位置に応じたオフセット値を加算することによってチルト制御を行うように構成されている。
【発明の効果】
【００１２】
本発明は、ディスクの内周側に設けられている試し書き領域にチルト調整用コイルに供給するオフセット検出用の駆動信号のレベルを変化させながらオフセット調整用信号を記録した後記録されたオフセット調整用信号の再生動作を行い、再生されるＲＦ信号からβ値を検出し、その検出されるβ値が最大となる信号を記録したときにチルト調整用コイルへ供給された駆動信号のレベルを内周側オフセット値として設定し、更にディスクに設けられている信号記録領域にチルト調整用コイルに供給するオフセット検出用の駆動信号のレベルを変化させながらオフセット調整用信号を記録した後記録されたオフセット調整用信号の再生動作を行い、再生されるＲＦ信号からβ値を検出し、その検出されるβ値が最大となる信号を記録したときにチルト調整用コイルへ供給された駆動信号のレベルを外周側オフセット値として設定し、チルト制御を行うチルト調整信号に前記内周側オフセット値及び外周側オフセット値から演算される記録位置に応じたオフセット値を加算することによってチルト制御を行うようにしたので、チルト調整用コイルの取り付け位置のズレ、温度変化及び経時変化による影響を受けることなく正確なチルト調整を行うことが出来る。
【００１３】
特に、本発明は、ディスクの内周側と外周側にて設定されたオフセット値を利用して記録位置に応じたオフセット値を演算設定してオフセット調整を行うようにしたので、ディスクに合った調整動作を正確に行うことが出来る。
【００１４】
そして、本発明は、外周側オフセット値の設定動作を信号記録領域の中の最外周位置にて行うようにしたので、全ての信号記録領域におけるオフセット値を演算設定することが出来るという利点を有している。
【発明を実施するための最良の形態】
【００１５】
本発明は、ディスクの内周側に設けられている試し書き領域とディスクの外周側の領域にオフセット調整用信号を光学式ピックアップのディスクに対する角度を変更しながら記録することによって各位置におけるオフセット値を選定するようにしたものである。
【実施例１】
【００１６】
図１は本発明に係る光ディスク記録再生装置の一実施例を示す回路図、図２及び図３は本発明の動作を説明するための信号波形図、図４は本発明に係るディスクを示す平面図である。
【００１７】
図１において、１はスピンドルモーター(図示せず)によって回転駆動されるターンテーブル(図示せず)に載置されるディスクであり、図４に示すように内周側からレーザー出力を調整する場合に使用される試し書き領域Ａ、ディスクの記録内容を示すＰＭＡ領域Ｂ及び信号記録領域Ｃが設けられている。前記試し書き領域Ａは、信号記録領域Ｃへのデータ信号の記録動作を行う前に記録用レーザー出力を調整する場合に使用される領域であり、斯かる領域を使用したレーザー出力の調整方法は周知であるので、その説明は省略する。
【００１８】
また、前記ディスク１には、ディスク上の位置を示す位置情報データがプリグルーブと呼ばれる蛇行した溝によって記録されており、光ディスク記録再生装置では、この溝より得られるウォブル信号に基いて信号の記録再生動作や信号の記録位置の認識動作を行うように構成されている。２はディスク１に照射されるレーザー光を放射するレーザーダイオード３及び該レーザーダイオード３から放射されるレーザー光の発光量をモニターするモニター用ダイオード(図示せず)が組み込まれているとともにディスク１の信号面から反射されるレーザー光を受ける光検出器４が組み込まれている光学式ピックアップであり、ピックアップ送り用モーター(図示せず)によってディスク１の径方向に移動せしめられるように構成されている。
【００１９】
また、前記光学式ピックアップ２内には、対物レンズ(図示せず)をディスク１の面方向へ変位させるフォーカシングコイル５、対物レンズをディスク１の径方向へ変位させるトラッキングコイル６及び対物レンズのディスク１に対する角度を調整するチルト調整用コイル７が組み込まれている。
【００２０】
８は前記光学式ピックアップ２に組み込まれている光検出器４から得られる信号に基いてレーザーダイオードから放射されるレーザー光をディスク１の信号面に合焦させるフォーカシング制御動作及び該レーザー光を信号面の信号トラックに追従させるトラッキング制御動作を行うピックアップ制御回路であり、トラッキングエラー信号に基づくトラッキング制御信号及びフォーカスエラー信号に基くフォーカシング制御信号を出力するように構成されている。
【００２１】
９は前記ピックアップ制御回路８より出力されるトラッキング制御信号が入力されるトラッキングコイル駆動回路であり、前記光学式ピックアップ２に組み込まれているトラッキングコイル６に駆動信号を供給するように構成されている。１０は前記ピックアップ制御回路８より出力されるフォーカシング制御信号が入力されるフォーカシングコイル駆動回路であり、前記光学式ピックアップ２に組み込まれているフォーカシングコイル５に駆動信号を供給するように構成されている。
【００２２】
１１は前記光学式ピックアップ２に組み込まれている光検出器４より得られるＲＦ信号が入力されるとともに該信号を増幅するＲＦ信号増幅回路、１２は前記ＲＦ信号増幅回路１１より出力される信号からβ値を検出するβ値検出回路である。図２はディスク１に記録されている信号を再生した信号の波形図であり、Ａ１及びＡ２は高周波信号のプラス側
のピークレベル及びマイナス側のピークレベルである。
【００２３】
斯かる条件において、β値は、β＝（Ａ１＋Ａ２）／（Ａ１−Ａ２）と表され、このβ値が例えば０．０４のとき、最適なレーザー出力にて信号が記録されると規定設定されている。一方、ディスク１の信号面に対する対物レンズの傾き、即ちチルトの状態とβ値との関係は、チルトの調整が良好になるほどβ値の大きさが大きくなるという特性がある。
【００２４】
次に斯かる特性について説明する。図２において、Ｐはディスク１にレーザー光を照射させることによって形成されるピットを示すものであり、再生波形との関係を示している。図３は図２に示した状態よりチルトの調整が良好になった状態を示すものであり、同一のレーザー出力にて記録した場合に形成されるピットＰの形状はレーザー光が効率良くディスク１の信号面に照射されるので、大きくなることになる。図３の再生波形図より明らかなようにピットＰの形状が大きくなると、再生される高周波信号のプラス側のピークレベルが高くなるとともにマイナス側のピークレベルが低くなる。このようにチルト調整が良好な状態になると、Ａ１及びＡ２の値が変化するのでβ値が大きくなることが分かる。
【００２５】
１３は前記β値検出回路１２により検出されて出力されるβ値が入力されるとともに前記フォーカシングコイル駆動回路１０より出力される駆動信号から得られるチルト調整用信号に基いてチルト制御動作を行うチルト制御回路、１４は前記チルト制御回路１３より出力される信号によってその動作が制御されるチルトコイル駆動回路であり、前記光学式ピックアップ２に組み込まれているチルト調整用コイル７にチルト調整用の駆動信号を供給するように構成されている。
【００２６】
１５は記録動作を行う前に行われるオフセット値検出動作時動作状態になるオフセット検出回路であり、チルト制御回路１３からチルトコイル駆動回路１４に対して段階的にチルト、即ちディスク１に対する対物レンズの傾きを変更させるオフセット検出用の駆動信号をチルト調整用コイル７に出力させる信号を出力するように構成されている。１６は後述するオフセット値検出動作によって検出されるオフセット値が記憶されるメモリー回路であり、記録再生動作状態におけるチルト制御動作を行うとき、フォーカシングコイル駆動回路１０より得られるチルト調整用信号に加算するオフセット信号を該メモリー回路１６に記憶されているオフセット値に基づいてチルト制御回路１３が生成するように構成されている。
【００２７】
１７は前記光学式ピックアップ２に組み込まれているレーザーダイオード３に駆動信号を供給するレーザー駆動回路、１８は記録信号をディスク１に記録するための信号をエンコードして前記レーザー駆動回路１７に供給する信号記録用回路であり、オフセット値検出動作時オフセット調整用信号を出力するように構成されている。
【００２８】
以上に説明したように本発明に係る光ディスク記録再生装置は構成されているが、次に動作について説明する。通常の記録動作や再生動作が行われている状態では、光学式ピックアップ２に組み込まれている光検出器４より得られる信号からフォーカスエラー信号やトラッキングエラー信号が生成され、その生成されたエラー信号に基いてフォーカシング制御動作及びトラッキング制御動作を行うための制御動作がピックアップ制御回路８によって行われる。
【００２９】
前記ピックアップ制御回路８による各制御動作が行われると、フォーカシングコイル駆動回路１０及びトラッキングコイル駆動回路９に該ピックアップ制御回路８より制御信号が出力される。その結果、前記フォーカシングコイル駆動回路１０及びトラッキングコイル駆動回路９よりフォーカシングコイル５及びトラッキングコイル６に対して駆動信号が供給される。斯かる駆動信号は、フォーカスエラー信号やトラッキングエラー信号のレベ
ルを小さくする方向に対物レンズを変位させるので、光学式ピックアップ２から照射されるレーザー光をディスク１上の信号面に合焦させるフォーカシング制御動作及び信号トラックに追従させるトラッキング制御動作を行うことが出来る。
【００３０】
以上に説明したようにピックアップ制御回路８によるフォーカシング制御動作及びトラッキング制御動作は行われるが、次に本発明の要旨であるチルト制御方法について説明する。
【００３１】
本発明に係る光ディスク記録再生装置では、記録動作を行う前にチルト制御動作を正確に行うために必要なオフセット値の設定動作が行われる。斯かる設定のための動作は、オフセット検出回路１５からチルト制御回路１３に対してオフセット値を設定するための動作を行うための信号が出力される。
【００３２】
斯かる動作は、通常のチルト制御動作を行わない状態において、チルトコイル駆動回路１４からチルト調整用コイル７に対してチルト角度を一段ずつ変更させるための制御信号を段階的に出力させるという制御動作が行われる。斯かる制御信号がチルト制御回路１３より出力されると、前記チルトコイル駆動回路１４からチルト調整用コイル７に対して、対物レンズの傾きを一方に最も傾いた位置から他方の方向に一段階ずつ変更させるためのオフセット検出用の駆動信号が供給される。その結果、前記チルト調整用コイル７の駆動動作によって対物レンズがチルト調整を行う方向に一段階ずつ傾けられることになる。
【００３３】
オフセット値の検出動作時には、前述したように前記オフセット検出回路１５から出力される信号により対物レンズの傾きを一段階ずつ変更させる動作が行われるが、斯かる動作は、ディスク１の内周側に設けられている試し書き領域Ａ及び信号記録領域Ｃにオフセット調整用信号を記録しながら行われる。
【００３４】
まず、内周側オフセット値を設定するために内周側試し書き領域Ａにオフセット調整用信号を記録する場合について説明する。信号記録用回路１８からレーザー駆動回路１７に対してオフセット調整用信号を出力させ、その信号をレーザーダイオード７より照射されるレーザー光によってディスク１の内周側試し書き領域Ａに記録する動作がチルト角度を一段階ずつ変更しながら行われる。斯かるオフセット調整用信号の記録動作が行われているとき、その記録位置とオフセット検出回路１５より出力される信号のレベルとの関係がメモリー回路１６等に記憶されるように構成されている。
【００３５】
オフセット検出回路１５より出力される信号に基づく対物レンズの傾き変更動作が終了するとディスク１へのオフセット調整用信号の記録動作も停止する。斯かる動作が終了すると光学式ピックアップ２を試し書き領域Ａのオフセット調整用信号の記録動作を開始した位置に移動させた後記録されたオフセット調整用信号の再生動作を行う。斯かる再生動作は、チルト調整用コイル７に駆動信号を供給していない状態、即ち対物レンズを中立の位置にした状態にて行われる。
【００３６】
対物レンズのディスク１に対する角度を変更しながら記録されたオフセット調整用信号の再生動作を行うと、ディスク１から反射されるレーザー光から得られるＲＦ信号のレベルが変化することになる。ディスク１の試し書き領域Ａに記録されているオフセット調整用信号は、ＲＦ信号増幅回路１１によって増幅された後β値検出回路１２に入力される。
【００３７】
ディスク１の信号面に対する光学式ピックアップ２の傾きが正しい方向に調整されるに従ってＲＦ信号から得られるＡ１値は大きくなり、Ａ２値は小さくなる。それ故、チルトの傾きを段階的に変更しながら記録されたオフセット調整用信号を再生するとβ値が最大になった後β値は次第に小さくなる。
【００３８】
前記チルト調整用コイル７に供給される駆動信号のレベルを段階的に変更しながら記録されたオフセット調整用信号の再生動作を行うと、その再生信号であるＲＦ信号から得られるβ値が変化するため、β値が最も大きくなるオフセット調整用信号が記録されている位置されている位置における駆動電圧がチルト調整用コイル７に供給されたときにチルト制御回路１３より出力された制御信号の値を内周側オフセット値としてメモリー回路１６に記憶させる動作が行われる。
【００３９】
以上に説明したように試し書き領域Ａを使用した内周側オフセット値の設定動作は行われるが、本発明では、ディスク１に設けられている信号記録領域Ｃを使用して外周側オフセット値の設定動作が行われる。斯かる動作は、光学式ピックアップ２をディスク１にウォブル信号として記録されている位置情報データに基づいて、例えば信号記録領域Ｃの最外周位置Ｃ３に移動させた後、前述した試し書き領域Ａにおけるオフセット値検出動作と同一の動作を行うことによって行うことが出来るので、その説明は省略する。そして、信号記録領域Ｃの最外周位置Ｃ３にて設定された外周側オフセット値はメモリー回路１７に記憶されることになる。
【００４０】
図４において、領域Ｃ１は、信号が記録されている領域、領域Ｃ２は信号の未記録領域であり、外周側オフセット値の設定動作を行った領域Ｃ３は前記未記録領域である領域Ｃ２の最外周領域である。
【００４１】
以上に説明したように内周側オフセット値及び外周側オフセット値とがメモリー回路１６に記憶されるが、次にチルト調整動作について説明する。
【００４２】
光ディスク記録再生装置が再生状態又は記録状態にあるとき、光学式ピックアップ２とディスク１との関係がチルト調整を行う必要がある状態になると、チルト調整用コイル７に対物レンズの傾きを変更するための駆動信号がチルトコイル駆動回路１４から供給されるが、この傾きを変更するためのチルト調整信号の調整動作は、フォーカシングコイル駆動回路１０よりフォーカシングコイル５に供給される駆動信号を利用して行われる。
【００４３】
フォーカシングコイル駆動回路１０よりフォーカシングコイル５に供給される駆動信号は、直流電圧に交流信号が重畳された信号である。即ち、直流電圧は、対物レンズの位置を動作位置に変位させる信号であり、交流信号はディスク１の速い動きに追従させて対物レンズを変位させるための信号である。そして、前述した直流電圧は、ディスク１の信号面と光学式ピックアップ２の位置関係に応じて対物レンズを動作位置に変位させる信号であり、この直流電圧の変化を利用することによってチルト調整を行うことが出来る。
【００４４】
即ち、フォーカシングコイル５に供給される駆動信号に含まれる直流電圧は、対物レンズとディスク１の信号面との位置関係を示すものであるため、ディスク上の位置変化に対応して変化する直流電圧は、対物レンズとディスク１との傾き関係を示すことになる。従って、フォーカシングコイル駆動回路１０からフォーカシングコイル５に供給される駆動信号に含まれる直流電圧の変化分をチルト調整用信号として抽出し、この抽出された信号に前記メモリー回路１６に記憶されている内周側オフセット値と外周側オフセット値より演算されるオフセット値を加算した信号をチルト制御用信号としてチルトコイル駆動回路１４に供給することによってチルト調整動作を行うことが出来る。
【００４５】
フォーカシングコイル駆動回路１０から抽出される信号に加算されるオフセット値は、内周側オフセット値と外周側オフセット値から記録位置に応じて演算されて設定される。即ち、外周側オフセット値が設定された信号記録領域Ｃの最外周領域であるＣ３の位置と内周側オフセット値が設定された試し書き領域Ａ上の位置は、位置情報データから求めら
れているので、その間の距離とオフセット値の変化からディスク１上の位置における最適なオフセット値を演算することが出来る。
【００４６】
前述したチルト調整動作が行われる結果、チルトコイル駆動回路１４からチルト調整用コイル７に対して記録再生位置に最適なチルト調整用の駆動信号が供給されるので、光学式ピックアップ２のディスク１に対する角度を最適な状態に調整するための動作、即ちチルト調整動作を正確に行うことが出来る。
【００４７】
また、本実施例では、チルト調整用の信号をフォーカシングコイル５に供給される駆動信号より得るようにしたが、ＲＦ信号のレベル変化を利用してチルト調整を行うように構成された装置に使用することも出来る。
【図面の簡単な説明】
【００４８】
【図１】本発明に係る光ディスク記録再生装置の一実施例を示す回路図である。
【図２】本発明の動作を説明するための信号波形図である。
【図３】本発明の動作を説明するための信号波形図である。
【図４】本発明に係るディスクを示す平面図である。
【符号の説明】
【００４９】
１        ディスク
２        光学式ピックアップ
３        レーザーダイオード
４        光検出器
５        フォーカシングコイル
６        トラッキングコイル
７        チルト調整用コイル
８        ピックアップ制御回路
１０        フォーカシングコイル駆動回路
１１        ＲＦ信号増幅回路
１２        β値検出回路
１３        チルト制御回路
１４        チルトコイル駆動回路
１５        オフセット検出回路
１６        メモリー回路
１７        レーザー駆動回路
１８        信号記録用回路
【図１】
2005158206.tif 000003
【図２】
2005158206.tif 000004
【図３】
2005158206.tif 000005
【図４】
2005158206.tif 000006